(57)【要約】【課題】  携帯電話機を家庭内等で使用する際に、携帯電話機と一緒に使用することで、受話時の外音の遮音性や受話音の音質を向上させたり、老人等にとって使い易くしたりする。【解決手段】  携帯電話機２が着脱自在に装着される携帯電話機用送受話アダプタ１は、受話用耳当て部２１ａが設けられた受話用膨出部２１と、送話口２２ａが設けられた送話用膨出部２２とを備える。送受話アダプタ１は、携帯電話機３が送受話アダプタ１に装着された状態で、使用者が、送受話アダプタ１の受話用耳当て部２１ａに耳を当てて送話口２２ａに向けて話すことで、携帯電話機２によって通話し得るように構成される。送受話アダプタ１は、携帯電話機２が装着された状態で、把持部と該把持部の両端に設けられた送話用膨出部及び受話用膨出部とを有する電話機用ハンドセットと略同じ形状をなす。【選択図】  図１
2006325158.tif 000002
【特許請求の範囲】
【請求項１】
携帯電話機が着脱自在に装着される携帯電話機用送受話アダプタであって、
受話用耳当て部が設けられた受話用膨出部と、送話口が設けられた送話用膨出部とを備え、
前記携帯電話機が当該携帯電話機用送受話アダプタに装着された状態で、使用者が、当該携帯電話機用送受話アダプタの前記受話用耳当て部に耳を当てて前記送話口に向けて話すことで、当該携帯電話機によって通話し得るように構成され、
前記携帯電話機が装着された状態で、把持部と該把持部の両端に設けられた送話用膨出部及び受話用膨出部とを有する電話機用ハンドセットと略同じ形状をなすことを特徴とする携帯電話機用送受話アダプタ。
【請求項２】
前記携帯電話機が当該携帯電話機用送受話アダプタに装着された場合に当該携帯電話機の受話部の音響出力孔からの音響を前記受話用耳当て部に導く音響伝導構造を、備えたことを特徴とする請求項１記載の携帯電話機用送受話アダプタ。
【請求項３】
前記音響伝導構造は、音響伝導路から外部への空気漏洩量を可変とする漏洩量調整部を含むことを特徴とする請求項２記載の携帯電話機用送受話アダプタ。
【請求項４】
前記音響伝導構造の少なくとも一部が軟質の部材にて構成されたことを特徴とする請求項２又は３記載の携帯電話機用受話アダプタ。
【請求項５】
音響を発して前記受話用耳当て部に供給する受話スピーカと、
前記携帯電話機が当該携帯電話機用送受話アダプタに装着された場合に、当該携帯電話機からの受話信号が前記受話スピーカに供給されるように、当該携帯電話機用送受話アダプタと当該携帯電話機との間を電気的に接続するための接続手段と、
を備えたことを特徴とする請求項１記載の携帯電話機用受話アダプタ。
【請求項６】
前記携帯電話機が当該携帯電話機用送受話アダプタに装着された場合に、当該携帯電話機又は当該携帯電話機用送受話アダプタの送話マイクロフォンの出力信号の一部が、前記受話信号に加えて、前記受話スピーカに供給されることを特徴とする請求項５記載の携帯電話機用送受話アダプタ。
【請求項７】
前記送話口に透孔が設けられ、
前記携帯電話機が当該携帯電話機用送受話アダプタに装着された場合に、使用者から発声された音響が、前記透孔及び当該携帯電話機の音響入力孔を経由して当該携帯電話機の送話マイクロフォンに入力されることを特徴とする請求項１乃至６のいずれかに記載の携帯電話機用送受話アダプタ。
【請求項８】
前記携帯電話機が当該携帯電話機用送受話アダプタに装着された場合に、前記送話用膨出部が当該携帯電話機の前記音響入力孔の付近に位置することを特徴とする請求項７記載の携帯電話機用送受話アダプタ。
【請求項９】
前記透孔へ入力された音響を当該携帯電話機の前記音響入力孔へ集音する集音構造を有することを特徴とする請求項７又は８記載の携帯電話機用送受話アダプタ。
【請求項１０】
前記送話口に入力された音響を電気信号に変換する送話マイクロフォンと、
前記携帯電話機が当該携帯電話機用送受話アダプタに装着された場合に、当該携帯電話機用送受話アダプタの前記送話マイクロフォンの出力信号が当該携帯電話機に供給されるように、当該携帯電話機用送受話アダプタと当該携帯電話機との間を電気的に接続するための接続手段と、
を備えたことを特徴とする請求項１乃至６のいずれかに記載の携帯電話機用受話アダプタ。
【請求項１１】
前記携帯電話機が装着された状態の当該携帯電話機用送受話アダプタが充電台にセットされた場合に、前記充電台の給電端子と当該携帯電話機の充電端子との間を電気的に中継接続して、前記充電台に前記充電端子への充電用電力の供給を行わせる中継接続手段を備えたことを特徴とする請求項１乃至１０のいずれかに記載の携帯電話機用送受話アダプタ。
【請求項１２】
前記携帯電話機が当該携帯電話機用送受話アダプタに装着された場合に、当該携帯電話機の前記充電端子と前記中継接続手段との間が自動的に電気的に接続され、当該携帯電話機用送受話アダプタが前記充電台にセットされた場合に、前記充電台の前記給電端子と前記中継接続手段との間が自動的に電気的に接続されることを特徴とする請求項１１記載の携帯電話機用送受話アダプタ。
【請求項１３】
請求項１１又は１２記載の携帯電話機用送受話アダプタと、前記充電台とを備えたことを特徴とする携帯電話機用送受話アダプタセット。
【発明の詳細な説明】
【技術分野】
【０００１】
本発明は、携帯電話機が着脱自在に装着される携帯電話機用送受話アダプタ、及び、これを用いた携帯電話機用送受話アダプタセットに関するものである。
【背景技術】
【０００２】
近年の携帯電話は形状が小さく薄くなったため、耳当たり部も従来の有線電話機が有していたような気密性を持たすことができなくなっており、その結果、周囲の騒音に対する遮断性能が低下して、騒音下での受話の明瞭度が低下するばかりでなく、受話の周波数特性も低音域が不足となり、相手音声の識別性も低下した。
【０００３】
一方、電話機本体の一方側の面部に、受話孔及び表示部を囲むリング状の遮音部材が組み合わされることによって、あてがわれた耳介の周囲を覆って外部音を遮音する遮音空間部が構成される携帯電話機が、提案されている（下記特許文献１）。この従来の携帯電話機によれば、リング状の遮音部材は、使用者の耳に当てがわれると、耳介の周囲を覆って外部音を遮音する遮音空間部を構成するため、屋外等の外部音が大きな場所でも受話音を明瞭に聴取することが可能となる。また、受話時に遮音空間部は密閉空間に近づくので、受話音の音質の向上を図ることができる。ところが、あてがわれた耳介の周囲を覆うリング状の遮音部材が電話機本体に設けられているので、電話機本体が比較的大型化せざるを得ず、近年の携帯電話機の小型化の傾向に反している。
【０００４】
また、従来の携帯電話機では、電話機全体の形が、把持部と該把持部の両端に設けられた送話用膨出部及び受話用膨出部とを有する電話機用ハンドセット（例えば、旧来のいわゆる黒電話機のハンドセット）のような形でなくなったため、老人等にとって、どこに耳を当てて、どこに向かって話したら良いか理解しにくくなり、使用に戸惑う場合もあった。
【特許文献１】特開平８−１４９１８９号公報
【発明の開示】
【発明が解決しようとする課題】
【０００５】
本発明は、前述した事情に鑑みてなされたもので、携帯電話機自体の小型化を損なうことなく、携帯電話機を家庭内等で使用する際に、携帯電話機と一緒に使用することで、受話時の外音の遮音性や受話音の音質を向上させたり、老人等にとって使い易くしたりすることができる、携帯電話機用送受話アダプタ及びこれを用いた携帯電話機用送受話アダプタセットを提供することを目的とする。
【課題を解決するための手段】
【０００６】
前記課題を解決するため、本発明の第１の態様による携帯電話機用送受話アダプタは、携帯電話機が着脱自在に装着される携帯電話機用送受話アダプタであって、受話用耳当て部が設けられた受話用膨出部と、送話口が設けられた送話用膨出部とを備え、（i）前記携帯電話機が当該携帯電話機用送受話アダプタに装着された状態で、使用者が、当該携帯電話機用送受話アダプタの前記受話用耳当て部に耳を当てて前記送話口に向けて話すことで、当該携帯電話機によって通話し得るように構成され、（ii）前記携帯電話機が装着された状態で、把持部と該把持部の両端に設けられた送話用膨出部及び受話用膨出部とを有する電話機用ハンドセットと略同じ形状をなすものである。
【０００７】
この第１の態様によれば、家庭内等で携帯電話機を使用する際には、携帯電話機を当該携帯電話機用送受話アダプタに装着する。これにより、前記電話機用ハンドセットと略同じ形状をなし、使用者は、当該携帯電話機用送受話アダプタの前記受話用耳当て部に耳を当てて前記送話口に向けて話すことで、当該携帯電話機によって通話し得る。このため、老人等にとって、どこに耳を当ててどこに向かって話したら良いかを即座に理解することができ、非常に使い易い。また、前記受話用膨出部の受話用耳当て部は、前記電話機用ハンドセットの受話用耳当て部と同様に構成することが可能であるので、受話時の外音の遮音性や受話音の音質を向上させることができる。そして、このような利点は、当該携帯電話機用送受話アダプタに携帯電話機を装着することによって得ることができるので、携帯電話機を大型化する必要がなく、小型化を損なうことがない。一方、外出する場合など、携帯のための小型軽量性が必要な場合には、携帯電話機を当該携帯電話機用送受話アダプタから外すと、単体で通常の携帯電話機として使用することができ、その携帯性を有効に発揮することができる。
【０００８】
このように、この第１の態様によれば、携帯電話機自体の小型化を損なうことなく、携帯電話機を家庭内等で使用する際に、携帯電話機と一緒に使用することで、受話時の外音の遮音性や受話音の音質を向上させたり、老人等にとって使い易くしたりすることができる。
【０００９】
本発明の第２の態様による携帯電話機用送受話アダプタは、前記第１の態様において、前記携帯電話機が当該携帯電話機用送受話アダプタに装着された場合に当該携帯電話機の受話部の音響出力孔からの音響を前記受話用耳当て部に導く音響伝導構造を、備えたものである。
【００１０】
この第２の態様によれば、携帯電話機の受話部の音響出力孔からの音響が携帯電話機用送受話アダプタの受話用耳当て部に導かれるので、携帯電話機用送受話アダプタには受話スピーカを設ける必要がなく、その分、コストダウンを図ることができる。この第２の態様のように携帯電話機の受話部の音響出力孔からの音響を携帯電話機用送受話アダプタの受話用耳当て部に導びいても、受話音の音量・音質等を良好にすることができることを、本発明者は実験的に確認した。
【００１１】
本発明の第３の態様による携帯電話機用送受話アダプタは、前記第２の態様において、前記音響伝導構造は、音響伝導路から外部への空気漏洩量を可変とする漏洩量調整部を含むものである。
【００１２】
前記第３の態様によれば、前記音響伝導構造が前記漏洩量調整部を含むので、音響伝導路から外部への空気漏洩量が変わると聴取される受話音量が変わることから、受話音量を調整することができる。
【００１３】
本発明の第４の態様による携帯電話機用送受話アダプタは、前記第２又は第３の態様において、前記音響伝導構造の少なくとも一部が軟質の部材にて構成されたものである。
【００１４】
前記音響伝導構造の全部を硬質の部材で構成すると、共鳴周波数のピークが急峻となる。これに対し、前記第４の態様のように音響伝導構造の少なくとも一部を軟質の部材で構成すると、そのピークがなだらかとなり、音質を向上させることができるので、好ましい。
【００１５】
本発明の第５の態様による携帯電話機用送受話アダプタは、前記第１の態様において、音響を発して前記受話用耳当て部に供給する受話スピーカと、前記携帯電話機が当該携帯電話機用送受話アダプタに装着された場合に、当該携帯電話機からの受話信号が前記受話スピーカに供給されるように、当該携帯電話機用送受話アダプタと当該携帯電話機との間を電気的に接続するための接続手段と、を備えたものである。
【００１６】
この第５の態様は、携帯電話機用送受話アダプタにも受話スピーカを設ける例を挙げたものである。
【００１７】
本発明の第６の態様による携帯電話機用送受話アダプタは、前記第５の態様において、前記携帯電話機が当該携帯電話機用送受話アダプタに装着された場合に、当該携帯電話機又は当該携帯電話機用送受話アダプタの送話マイクロフォンの出力信号の一部が、前記受話信号に加えて、前記受話スピーカに供給されるものである。
【００１８】
この第６の態様によれば、使用者は受話スピーカから自分の声も聴くので、より自然な通話が可能となる。
【００１９】
本発明の第７の態様による携帯電話機用送受話アダプタは、前記第１乃至第６のいずれかの態様において、前記送話口に透孔が設けられ、前記携帯電話機が当該携帯電話機用送受話アダプタに装着された場合に、使用者から発声された音響が、前記透孔及び当該携帯電話機の音響入力孔を経由して当該携帯電話機の送話マイクロフォンに入力されるものである。
【００２０】
この第７の態様によれば、使用者から発声された音響が、当該携帯電話機用送受話アダプタの送話口の透孔及び当該携帯電話機の音響入力孔を経由して当該携帯電話機の送話マイクロフォンに入力されるので、携帯電話機用送受話アダプタには送話マイクロフォンを設ける必要がなく、その分、コストダウンを図ることができる。
【００２１】
本発明の第８の態様による携帯電話機用送受話アダプタは、前記第７の態様において、前記携帯電話機が当該携帯電話機用送受話アダプタに装着された場合に、前記送話用膨出部が当該携帯電話機の前記音響入力孔の付近に位置するものである。
【００２２】
この第８の態様によれば、前記送話用膨出部が当該携帯電話機の前記音響入力孔の付近に位置するため、携帯電話機の送話マイクロフォンの感度低下を極力抑えることができるので、好ましい。
【００２３】
本発明の第９の態様による携帯電話機用送受話アダプタは、前記第７又は第８の態様において、前記透孔へ入力された音響を当該携帯電話機の前記音響入力孔へ集音する集音構造を有するものである。
【００２４】
この第９の態様によれば、前記集音構造を有しているので、携帯電話機の送話マイクロフォンの感度を高めることができるので、好ましい。
【００２５】
本発明の第１０の態様による携帯電話機用送受話アダプタは、前記第１乃至第６のいずれかの態様において、前記送話口に入力された音響を電気信号に変換する送話マイクロフォンと、前記携帯電話機が当該携帯電話機用送受話アダプタに装着された場合に、当該携帯電話機用送受話アダプタの前記送話マイクロフォンの出力信号が当該携帯電話機に供給されるように、当該携帯電話機用送受話アダプタと当該携帯電話機との間を電気的に接続するための接続手段と、を備えたものである。
【００２６】
この第１０の態様は、携帯電話機用送受話アダプタにも送話マイクロフォンを設ける例を挙げたものである。
【００２７】
本発明の第１１の態様による携帯電話機用送受話アダプタは、前記第１乃至第１０のいずれかの態様において、前記携帯電話機が装着された状態の当該携帯電話機用送受話アダプタが充電台にセットされた場合に、前記充電台の給電端子と当該携帯電話機の充電端子との間を電気的に中継接続して、前記充電台に前記充電端子への充電用電力の供給を行わせる中継接続手段を備えたものである。
【００２８】
この第１１の態様によれば、前記充電台を用いることで、通話してないときには当該携帯電話機用送受話アダプタを前記充電台にセットするとともに、通話する際に当該携帯電話機用送受話アダプタを前記充電台から取り上げることで、固定電話に類似した使用が可能となり、しかも、携帯電話機用送受話アダプタを充電台にセットしたときに、携帯電話機が充電されるので、使い勝手が向上する。
【００２９】
本発明の第１２の態様による携帯電話機用送受話アダプタは、前記第１１の態様において、前記携帯電話機が当該携帯電話機用送受話アダプタに装着された場合に、当該携帯電話機の前記充電端子と前記中継接続手段との間が自動的に電気的に接続され、当該携帯電話機用送受話アダプタが前記充電台にセットされた場合に、前記充電台の前記給電端子と前記中継接続手段との間が自動的に電気的に接続されるものである。
【００３０】
この第１２の態様によれば、充電に必要な配線が自動的に行われるので、使用者がそのような結線作業（例えば、コネクタの脱着）を意識して行う場合に比べて、使い勝手がより向上する。
【００３１】
本発明の第１３の態様による携帯電話機用送受話アダプタセットは、前記第１１又は第１２の態様による携帯電話機用送受話アダプタと、前記充電台とを備えたものである。
【発明の効果】
【００３２】
本発明によれば、携帯電話機自体の小型化を損なうことなく、携帯電話機を家庭内等で使用する際に、携帯電話機と一緒に使用することで、受話時の外音の遮音性や受話音の音質を向上させたり、老人等にとって使い易くしたりすることができる、携帯電話機用送受話アダプタ及びこれを用いた携帯電話機用送受話アダプタセットを提供することができる。
【発明を実施するための最良の形態】
【００３３】
以下、本発明による携帯電話機用送受話アダプタ及びこれを用いた携帯電話機用送受話アダプタセットについて、図面を参照して説明する。
【００３４】
［第１の実施の形態］
【００３５】
図１は、本発明の第１の実施の形態による携帯電話機用送受話アダプタ１に対する携帯電話機２の装着及び取り外しの様子を示す概略斜視図である。図２乃至図４は、携帯電話機２が装着されていない状態の送受話アダプタ１を示す図であり、図２は図１中のＡ矢視の概略平面図、図３は図１中のＢ矢視の概略平面図、図４は概略断面図である。図４は、基本的に図２及び図３中のＣ−Ｃ’線に沿った断面を示している。後述する端子６１，６２等はこの断面に現れないが、理解を容易にするため、後述する端子６１，６２等もこの断面に現れるものとして図４に示している。この点は、後述する図７乃至図９についても同様である。図５乃至図７は、携帯電話機２が装着されている状態の送受話アダプタ１を示す図であり、図５は図２に対応する概略平面図、図６は図３に対応する概略平面図、図７は図４に対応する概略断面図である。図７は、基本的に、図５及び図６中のＤ−Ｄ’線に沿った断面を示している。図８は、携帯電話機２が装着されている状態の送受話アダプタ１が充電台３から取り外された状態を示す概略断面図である。図９は、携帯電話機２が装着されている状態の送受話アダプタ１が充電台３にセットされた状態を示す概略断面図である。なお、図７乃至図９において、携帯電話機２の本体１１の内部の要素については、一部の要素のみしか示していない。
【００３６】
本実施の形態では、携帯電話機２は、図１に示すように、直方体状の本体１１とアンテナ１２とを有している。本体１１には、図１に示すように、各種の操作ボタン１３、使用者から発声された音響（送話音）を取り込むための音響入力孔１４、及び、受話部としての受話用耳当て部１５が設けられている。受話用耳当て部１５は、凹部１６と、凹部１６に形成され受話音を放出する音響出力孔１７とを有している。本体１１の内部には、図７乃至図９に示すように、音響入力孔１４の付近に送話音を電気信号に変換する送話マイクロフォン１８が設けられているとともに、音響出力孔１７の付近に受話音を発する受話スピーカ１９が設けられている。また、図１及び図７乃至図９に示すように、本体１１の下部には充電端子２０が設けられている。
【００３７】
本実施の形態による送受話アダプタ１は、図１乃至図９に示すように、受話用耳当て部２１ａが設けられた受話用膨出部２１と、送話口２２ａが設けられた送話用膨出部２２と、受話用膨出部２１と送話用膨出部２２との間を連結する連結板２３，２４とを有している。連結板２３，２４は、携帯電話機２の本体１２の両側部を押さえる押さえ板を兼ねている。膨出部２１，２２は、図７乃至図９に示すように、それぞれ中空となるように構成されている。膨出部２１，２２及び連結板２３，２４等は、例えば、樹脂で一体成形される。なお、膨出部２１，２２は、製造時にその内部に後述する部品を配置するなどの理由で、分割構造を有しそれが嵌合等により一体化されているが、その分割構造の図示は省略する。なお、樹脂成形によっては連結板２３，２４の強度を十分に得ることが困難である場合は、例えば、連結板２３，２４及びそれらの間を連結する部分からなるフレームを金属部材等で構成し、このフレームに膨出部２１，２２を固定するような構造を採用してもよい。
【００３８】
送受話アダプタ１は、携帯電話機２が送受話アダプタ１に着脱自在に装着されるようになっている。送受話アダプタ１は、携帯電話機２が送受話アダプタ１に装着された状態で、使用者が送受話アダプタ１の受話用耳当て部２１ａに耳を当てて送話口２２ａに向けて話すことで、携帯電話機２によって通話し得るように構成されている。
【００３９】
本実施の形態では、送受話アダプタ１は、図３、図４及び図７乃至図９に示すように、携帯電話機２の本体１１の音響入力孔１４付近を受ける受け板２５と、携帯電話機２の本体１１の受話用耳当て部２１ａ付近を受ける受け板２６と、携帯電話機２の本体１１の両端部をそれぞれ押さえる押さえ板２７，２８と、携帯電話機２の本体１１における音響入力孔１４に対する裏側の箇所付近に係合する係合片２９と、を有している。
【００４０】
また、図３、図４、図６乃至図９に示すように、受話用膨出部２１の上部には、ロックレバー３０が枢支されている。ロックレバー３０は、図示しないスプリングによって図４及び図７乃至図９中の反時計方向に付勢されている。ロックレバー３０を時計方向に回動させた状態で、携帯電話機２を送受話アダプタ１に対して図５乃至図９に示す位置に配置し、その後、ロックレバー３０から手を離すと、前記スプリングによる付勢力によりロックレバー３０が図４及び図７乃至図９に示すように携帯電話機２を押し付けることによって、携帯電話機２が抜け落ちるのが阻止されて、携帯電話機２が送受話アダプタ１に対して固定されて装着される。この状態で、ロックレバー３０を時計方向に回動させると、携帯電話機２を送受話アダプタ１から取り外すことができる。勿論、携帯電話機２を送受話アダプタ１に対して取り外し自在に固定するための構造は、前述した構造に限定されるものでない。
【００４１】
本実施の形態では、図５乃至図９からわかるように、送受話アダプタ１は、携帯電話機２が装着された状態で、把持部と該把持部の両端に設けられた送話用膨出部及び受話用膨出部とを有する電話機用ハンドセット（例えば、旧来のいわゆる黒電話機のハンドセット）と略同じ形状をなすようになっている。
【００４２】
受話用膨出部２１の受話用耳当て部２１ａは、図１、図２、図４、図５及び図７乃至図９に示すように、旧来の黒電話機のハンドセットの受話用耳当て部と同様に構成され、凹部３１と、凹部３１に形成され受話音を放出する音響出力孔３２とを有している。凹部３１の周囲の部分３３が、使用者の耳孔周辺部に当接する当接部となる。凹部３１の径は、例えば約４５ｍｍとされ、携帯電話機２の受話用耳当て部１５の凹部１６の大きさより大きくなっている。これにより、送受話アダプタ１の受話用耳当て部２１ａは、携帯電話機２の受話用耳当て部１５に比べて、外音遮音性が高くなっている。なお、受話時に使用者の耳介の突起部に対して過大な押圧力が加わらないようにするため、凹部３１における中心領域付近の深さは３ｍｍ以上であることが好ましい。
【００４３】
図３、図４及び図７乃至図９に示すように、受け板２６には、携帯電話機２の音響出力孔１７に対応する箇所に音響出力孔１７と連絡する開口２６ａが形成されている。開口２６ａの周囲には、開口２６ａの周囲と携帯電話機２の凹部１６の周囲との間を気密に保つためのＯリング３９が設けられている。
【００４４】
受話用膨出部２１内には、開口２６ａと音響出力孔３２との間を連絡する音響伝導管３４が設けられている。本実施の形態では、この音響伝導管３４が、携帯電話機２が送受話アダプタ１に装着された場合に携帯電話機２の受話部の音響出力孔１７からの音響を送受話アダプタ１の受話用耳当て部２１ａに導く音響伝導構造を、構成している。音響伝導管３４の側部には開口３４ａが形成され、開口３４ａの開口量を調整する調整片３４ｂが、開口３４ａの付近に枢支されている。調整片３４ｂの角度は手動等で調整することができ、調整片３４ｂは調整した角度で保持されるようになっている。受話用膨出部２１の側壁には、開口３４ａを外部へ連絡するための開口３５が形成されている。本実施の形態では、調整片３４ｂが、音響伝導管３４の内部の音響伝導路から外部への空気漏洩量を可変とする漏洩量調整部を構成している。その空気漏洩量を変えることで、受話音量を調整することができる。
【００４５】
音響伝導管３４は、その全体を硬質の部材で構成してもよいが、受話音の音質を向上させるためには、その少なくとも一部を発泡ウレタンやシリコンゴムなどの軟質の部材で構成することが好ましい。例えば、調整片３４ｂ及びその付近を硬質の部材で構成し、他の部分を軟質の部材で構成する。
【００４６】
図３、図４及び図７乃至図９に示すように、受け板２５には、携帯電話機２の音響出力孔１４に対応する箇所に音響出力孔１４と連絡する開口２５ａが形成されている。
【００４７】
送話用膨出部２２の送話口２２ａには、図１、図５及び図７乃至図９に示すように、多数の透孔３６が形成されている。また、本実施の形態では、送話用膨出部２２における受話用膨出部２１側の側壁部にも、多数の透孔３７が形成されている。したがって、本実施の形態では、送話用膨出部２２における送話口２２側の壁部及び受話用膨出部２１側の側壁部は、送話の音響（使用者から発声される音響）に対して音響的に透明に近い状態となっている。また、本実施の形態では、送話用膨出部２２における送話口２２とは反対側の壁部２２ｂは、図４及び図７乃至図９に示すように、湾曲しており、透孔３６，３７へ入力された音響を開口２５ａ（ひいては、携帯電話機２の音響入力孔１４）へ集音する集音構造の一例としての、音響反射板を構成している。このように、送話用膨出部２２の壁部で前記集音構造を構成すると、構造が簡単で安価となるので、好ましい。もっとも、前記集音構造は、例えば、送話用膨出部２２の内部に配置したラッパ型の集音部材などで構成してもよい。
【００４８】
本実施の形態による送受話アダプタ１は、図８及び図９に示すように、充電台３と一緒に使用することができるように、携帯電話機２が装着された状態の受話アダプタ１が充電台３に図９に示すようにセットされた場合に、充電台３の給電端子５６と携帯電話機３の充電端子２０との間を電気的に中継接続して、充電台３に充電端子２０への充電用電力の供給を行わせる中継接続手段を備えている。
【００４９】
本実施の形態では、充電台３は、図面には詳細に示していないが、その上に、携帯電話機２が装着された状態の送受話アダプタ１を安定して置くことができるように構成されている。このように、本実施の形態では、充電台３は、送受話アダプタ１を上に置くことで送受話アダプタ１をセットするようになっているが、例えば、いわゆる壁掛け式等としてセットできるように構成してもよい。また、必要に応じて、送受話アダプタ１と充電台３との間を取り外し自在に固定できるように構成してもよい。
【００５０】
本実施の形態では、充電台３は、図８及び図９に示すように、電源コード５１の一端のプラグ５２が接続されるソケット５４と、ソケット５４に内部配線５５で接続された給電端子５６とを有している。なお、電源コード５１の他端のプラグ５３は、商用電源のコンセント（図示せず）に接続される。
【００５１】
本実施の形態では、送受話アダプタ１は、図２、図４、図５及び図７乃至図９に示すように、携帯電話機２が送受話アダプタ１に装着された場合に携帯電話機２の充電端子２０と自動的に電気的に接続される中継端子６１と、送受話アダプタ１が充電台３にセットされた場合に充電台３の給電端子５６と自動的に電気的に接続される中継端子６２と、中継端子６１，６２間を接続した内部配線６３とを有し、これらによって、前記中継接続手段が構成されている。
【００５２】
送受話アダプタ１及び充電台３によって、本発明の一実施の形態による携帯電話機用送受話アダプタセットが構成されている。
【００５３】
本実施の形態によれば、家庭内等で携帯電話機２を使用する際には、図５乃至図７に示すように、携帯電話機２を送受話アダプタ１に装着する。これにより、携帯電話機２及び送受話アダプタ１が黒電話機のハンドセットなどの電話機用ハンドセットと略同じ形状をなし、使用者は、受話アダプタ１の受話用耳当て部２１ａに耳を当てて送話口２２ａに向けて話すことで、携帯電話機２によって通話し得る。このため、老人等にとって、どこに耳を当ててどこに向かって話したら良いかを即座に理解することができ、非常に使い易い。また、受話用膨出部２１の受話用耳当て部２１ａは、旧来の黒電話機のハンドセットの受話用耳当て部と同様に構成されているので、受話時の外音の遮音性や受話音の音質を向上させることができる。そして、このような利点は、受話アダプタ１に携帯電話機２を装着することによって得ることができるので、携帯電話機２を大型化する必要がなく、小型化を損なうことがない。一方、外出する場合など、携帯のための小型軽量性が必要な場合には、携帯電話機２を図１乃至図４に示すように当該携帯電話機用送受話アダプタから外すと、単体で通常の携帯電話機として使用することができ、その携帯性を有効に発揮することができる。
【００５４】
このように、本実施の形態による送受話アダプタ１によれば、携帯電話機３自体の小型化を損なうことなく、携帯電話機３を家庭内等で使用する際に、携帯電話機３と一緒に使用することで、受話時の外音の遮音性や受話音の音質を向上させたり、老人等にとって使い易くしたりすることができる。
【００５５】
また、本実施の形態による送受話アダプタ１では、携帯電話機２の受話部の音響出力孔１７からの音響が送受話アダプタ１の受話用耳当て部２１ａに導かれるので、送受話アダプタ１には受話スピーカを設ける必要がなく、その分、コストダウンを図ることができる。本実施の形態のように携帯電話機３の受話部の音響出力孔１４からの音響を送受話アダプタ１の受話用耳当て部２１ａに導びいても、受話音の音量・音質等を良好にすることができることを、本発明者は実験的に確認した。
【００５６】
さらに、本実施の形態による送受話アダプタ１では、調整片３４ｂの角度を調整することで、受話音量を調整することができる。
【００５７】
さらにまた、本実施の形態による送受話アダプタ１では、使用者から発声された音響が、送受話アダプタ１の送話口２２ａの透孔３６及び携帯電話機３の音響入力孔１４を経由して携帯電話機１４の送話マイクロフォン１８に入力されるので、送受話アダプタ１には送話マイクロフォンを設ける必要がなく、その分、コストダウンを図ることができる。
【００５８】
また、本実施の形態によれば、送話用膨出部２２が携帯電話機３の音響入力孔１４の付近に位置するため、携帯電話機３の送話マイクロフォン１８の感度低下を極力抑えることができるので、好ましい。
【００５９】
さらに、本実施の形態によれば、送話用膨出部２２における送話口２２とは反対側の壁部２２ｂが、透孔３６，３７へ入力された音響を開口２５ａへ集音する音響反射板を構成しているので、携帯電話機２の送話マイクロフォン１８の感度を高めることができる。
【００６０】
さらにまた、本実施の形態による送受話アダプタ１は前記中継接続手段を備えているので、充電台３を用いることで、通話してないときには送受話アダプタ１を図９に示すように充電台３にセットするとともに、通話する際に送受話アダプタ１を図８に示すように充電台３から取り上げることで、固定電話に類似した使用が可能となり、しかも、送受話アダプタ１を充電台３にセットしたときに、携帯電話機２が充電されるので、使い勝手が向上する。
【００６１】
また、本実施の形態では、前述したように、携帯電話機２が送受話アダプタ１に装着された場合に携帯電話機２の充電端子２０と中継端子６１との間が自動的に電気的に接続されるとともに、送受話アダプタ１が充電台３にセットされた場合に充電台３の給電端子５６と中継端子６２との間が自動的に電気的に接続される。したがって、本実施の形態によれば、充電に必要な結線作業（例えば、コネクタの脱着）を意識して行う場合に比べて、使い勝手がより向上する。
【００６２】
［第２の実施の形態］
【００６３】
図１０は、本発明の第２の実施の形態による携帯電話機用送受話アダプタ１０１及び携帯電話機１０２の要部を示す電気回路図である。図１０において、図１乃至図９中の要素と同一又は対応する要素には同一符号を付している。
【００６４】
本実施の形態による送受話アダプタ１０１が前記第１の実施の形態による送受話アダプタ１と異なる所は、基本的に、以下に説明する点である。
【００６５】
送受話アダプタ１０１は、受話用スピーカ１１９及び送話マイクロフォン１１８を備えている。図面には示していないが、受話用スピーカ１１９は、受話用膨出部２１内において音響出力孔３２の付近に配置されている。送話マイクロフォン１１８は、送話用膨出部２２内において透孔３６の付近に配置されている。本実施の形態では、前記第１の実施の形態で説明した音響伝導管３４、開口２６ａ，３５、透孔３７などは不要である。
【００６６】
また、本実施の形態では、送受話アダプタ１０１は、受話用スピーカ１１９に接続された接続端子８１、及び、送話マイクロフォン１１８に接続された接続端子８２を有している。
【００６７】
以上説明した点以外については、送受話アダプタ１０１も送受話アダプタ１と同様に構成されている。
【００６８】
携帯電話機１０２は、前記第１の実施の形態で説明したアンテナ１２、送話マイクロフォン１８及び受話スピーカ１９の他、送受信部７１、加算器７２、増幅器７３、減衰器７４、切り替えスイッチＳ１〜Ｓ３、装着有無検出器７５、及び、接続端子７６，７７を有している。
【００６９】
本実施の形態では、前述した充電端子２０及び中継端子６１の場合と同様に、携帯電話機１０２が送受話アダプタ１０１に装着された場合に携帯電話機１０２の接続端子７６，７７と送受話アダプタ１０１の接続端子８１，８２との間がそれぞれ自動的に電気的に接続されるようになっている。
【００７０】
装着有無検出器７５は、携帯電話機１０２が送受話アダプタ１０１に装着されているか否かを検出するものであり、例えば、マイクロスイッチを用いることができる。
【００７１】
切り替えスイッチＳ１〜Ｓ３は、装着有無検出器７５からの装着有無検出信号に応じて作動する。携帯電話機１０２が送受話アダプタ１０１に装着されていなければ、切り替えスイッチＳ１〜Ｓ３の端子ａ１，ｃ１間、端子ａ２，ｃ２間及び端子ａ３，ｃ３間が導通する一方、携帯電話機１０２が送受話アダプタ１０１に装着されていれば、切り替えスイッチＳ１〜Ｓ３の端子ｂ１，ｃ１間、端子ｂ２，ｃ２間及び端子ｂ３，ｃ３間が導通する。図１０のスイッチＳ１〜Ｓ３の状態は、携帯電話機１０２が送受話アダプタ１０１に装着されている状態を示している。
【００７２】
携帯電話機１０２が送受話アダプタ１０１に装着されると、スイッチＳ２によって、携帯電話機１０２の送話マイクロフォン１８が送受信部７１及び減衰器７４から切り離される一方、送受話アダプタ１０１の送話マイクロフォン１１８が送受信部７１及び減衰器７４に接続される。これにより、送話マイクロフォン１１８からの信号が送話信号として送受信部７１及び減衰器７４に供給され、送受信部７１はこの送話信号に従って送信処理を行う。また、送話マイクロフォン１１８からの送信信号が減衰器７４で減衰された後にスイッチＳ３を経て側音信号（送話信号の一部）として加算器７２に与えられる。送受信部７１は、受信処理を行って受話信号を加算器７２に供給する。したがって、受話信号と側音信号とが加算器７２によって加算され、加算後の信号が増幅器７３により増幅され、スイッチＳ１及び端子７６，８１を経由して送受話アダプタ１０１の受話用スピーカ１１９に供給され、これに応じた音響が受話用スピーカ１１９から発せられる。
【００７３】
一方、携帯電話機１０２が送受話アダプタ１０１から取り外されると、スイッチＳ２によって携帯電話機１０２の送話マイクロフォン１８からの信号が送話信号として送受信部７１に供給され、送受信部７１はこの送話信号に従って送信処理を行う。送受信部７１は、受信処理を行って受話信号を加算器７２に供給する。一方、スイッチＳ３によって、減衰器７４の出力が遮断されるので、加算器７２を経て受話信号が促音信号と加算されることなくそのまま増幅器７３で増幅され、スイッチＳ１を経由して携帯電話機１０２のの受話用スピーカ１９に供給され、これに応じた音響が受話用スピーカ１９から発せられる。
【００７４】
前述した携帯電話機２では、図１０において、加算器７２、減衰器７４、切り替えスイッチＳ１〜Ｓ３、装着有無検出器７５、及び、接続端子７６，７７が除去され、送受信部７１からの受話信号が直接に増幅器７３に供給され、増幅器７３の出力が常に携帯電話機２の受話用スピーカ１９に供給され、携帯電話機２送話マイクロフォン１８からの信号が常に送話信号として送受信部７１へ供給される。
【００７５】
以上説明した点以外については、携帯電話機１０２も携帯電話機２と同様に構成されている。
【００７６】
本実施の形態によれば、送受話アダプタ１０１に受話用スピーカ１１９及び送話マイクロフォン１１８が設けられているので、前記第１の実施の形態に比べるとコストアップを免れないが、他の点については、前記第１の実施の形態と同様の利点が得られる。
【００７７】
また、本実施の形態によれば、前述したように、携帯電話機１０２が送受話アダプタ１０１に装着された場合に、送受話アダプタ１０１の送話マイクロフォン１１８の出力信号の一部（側音信号）が受話信号に加えて受話用スピーカ１１９に供給されるので、使用者は受話スピーカ１１９から自分の声も聴くことから、より自然な通話が可能となる。携帯電話機１０２が送受話アダプタ１０１に装着された場合に、受話信号に側音信号を加えないとすれば、受話用スピーカ１１９から自分の声を聴くことができないととともに、送受話アダプタ１０１の受話用耳当て部２１ａは外音遮音性が高いので、自分の声を直接的に聴くことができないことから、使用者は通話に際して若干違和感を持つことになる。なお、携帯電話機１０２が送受話アダプタ１０１から取り外された場合は、受話信号に側音信号を加えずに使用者が受話スピーカ１１９からは自分の声を聴かなくても、携帯電話機１０２の受話用耳当て部１５は外音遮音性が低いので、自分の声を直接的に聴くことができるので、自然な通話が可能である。
【００７８】
以上、本発明の各実施の形態について説明したが、本発明はこれらの実施の形態に限定されるものではない。
【００７９】
例えば、前述した各実施の形態では、装着対象の携帯電話機２，１０２は、その本体１１が折り畳めないタイプの携帯電話機であったが、本発明では、装着対象の携帯電話機は、例えば、その本体が２つに折り畳めるタイプの携帯電話機でもよい。
【００８０】
また、前記第１の実施の形態による送受話アダプタ１は、受話用スピーカ１１９及び送話マイクロフォン１１８の両方とも有していないものであり、前記第２の実施の形態による送受話アダプタ１０１は受話用スピーカ１１９及び送話マイクロフォン１１８の両方とも有しているものであったが、本発明は、これらに限定されるものではない。本発明による送受話アダプタは、例えば、前記第１及び第２の実施の形態に準じて、受話用スピーカ１１９を有しているが送話マイクロフォン１１８を有していない送受話アダプタや、受話用スピーカ１１９を有していないが送話マイクロフォン１１８を有している送受話アダプタであってもよい。
【図面の簡単な説明】
【００８１】
【図１】本発明の第１の実施の形態による携帯電話機用送受話アダプタに対する携帯電話機の装着及び取り外しの様子を示す概略斜視図である。
【図２】携帯電話機が装着されていない状態の本発明の第１の実施の形態による携帯電話機用送受話アダプタを示す図である。
【図３】携帯電話機が装着されていない状態の本発明の第１の実施の形態による携帯電話機用送受話アダプタを示す他の図である。
【図４】携帯電話機が装着されていない状態の本発明の第１の実施の形態による携帯電話機用送受話アダプタを示す更に他の図である。
【図５】携帯電話機が装着されている状態の本発明の第１の実施の形態による携帯電話機用送受話アダプタを示す図である。
【図６】携帯電話機が装着されている状態の本発明の第１の実施の形態による携帯電話機用送受話アダプタを示す他の図である。
【図７】携帯電話機が装着されている状態の本発明の第１の実施の形態による携帯電話機用送受話アダプタを示す更に他の図である。
【図８】携帯電話機が装着されている状態の本発明の第１の実施の形態による送受話アダプタが充電台から取り外された状態を示す概略断面図である。
【図９】携帯電話機が装着されている状態の本発明の第１の実施の形態による送受話アダプタが充電台にセットされた状態を示す概略断面図である。
【図１０】本発明の第２の実施の形態による携帯電話機用送受話アダプタ及び携帯電話機の要部を示す電気回路図である。
【符号の説明】
【００８２】
１，１０１  携帯電話機用送受話アダプタ
２，１０２  携帯電話機
３  充電台
２１  受話用膨出部
２１ａ  受話用耳当て部
２２  送話用膨出部
２２ａ  送話口
１８  携帯電話機の送話マイクロフォン
１９  携帯電話機の受話用スピーカ
１１８  送受話アダプタの送話マイクロフォン
１１９  送受話アダプタの受話用スピーカ
【図１】
2006325158.tif 000003
【図２】
2006325158.tif 000004
【図３】
2006325158.tif 000005
【図４】
2006325158.tif 000006
【図５】
2006325158.tif 000007
【図６】
2006325158.tif 000008
【図７】
2006325158.tif 000009
【図８】
2006325158.tif 000010
【図９】
2006325158.tif 000011
【図１０】
2006325158.tif 000012